(57)【要約】  ベッド（１０）又はトローリ又は同様なものが、背部（２１）、座部（２２）、大腿部（２３）及び足部（２４）から構成されるプラットフォーム（２０）から成っている。「自動体形合致」制御装置は、これら各部（２１、２３、２４）が平坦状態から駆動される時、背部（２１）及び大腿部（２２）が同一の角度に到達するまで同時に動かされるように構成されている。大腿部（２３）は、そこでその位置にとどまり、背部（２１）は最大位置に到達するまで継続して動かされる。「自動体形合致」制御装置を使用してこれらの部分を下降させるには、背部（２１）のみが大腿部（２３）と同等の位置に到達するまで下降駆動され、次いで、これら両部（２１、２３）が同時に下降駆動される。患者は比較的動かない位置に保持され、それにより、患者の皮膚と患者の支持面との間のずれを減少する。
2007527303.tif 000002
【特許請求の範囲】
【請求項１】
少なくとも背部と大腿部とを有する輪郭面を支持するフレームと、
体の各部の輪郭に合致するようにアクチュエータを駆動する制御手段とを有し、
前記背部と前記大腿部は、水平位置から上昇位置まで移動するよう回動可能に前記フレームに連結され、
前記制御手段は、背部及び大腿部を平坦位置から実質的に同等の角度に到達するまで同時に上昇させ、大腿部をその位置に留め、背部をその最大状態に到達するまで継続して上昇させ、前記各部を平坦位置まで戻すためには、初めに背部のみを大腿部の位置と実質的に同等の位置に到達するまで下降させ、次いで、背部及び大腿部を平坦位置まで同時に下降させてなる
ことを特徴とするベッド又はトローリ用の体の輪郭を形成する面。
【請求項２】
より高い角度においては、如何なる調整も前記背部の角度の調整のみによる、請求項１記載のベッド又はトローリ用の体の輪郭を形成する面。
【請求項３】
前記背部及び前記大腿部を駆動するアクチュエータは、おのおの完全に伸ばされた状態及び完全に引っ込められた状態のそれぞれを検知するリミットスイッチを有し、
背部アクチュエータには、更に前記二つの移動リミットスイッチの両端間に第３の統合リミットスイッチが設けられ、
第３のリミットスイッチの位置は、実質的に大腿部のアクチュエータが完全に伸ばされた状態に等しい、請求項１又は請求項２のいずれか１項に記載されたベッド又はトローリ用の体の輪郭面を形成する面。
【請求項４】
前記背部のアクチュエータが第３のリミットスイッチとその背部のアクチュエータが完全に伸ばされたところのリミットスイッチの間の区間にあるとき、体の輪郭を形成する角度の如何なる調整も、大腿部のアクチュエータではなく、背部のアクチュエータの駆動のみによる、請求項３に記載されたベッド又はトローリ用の体の輪郭を形成する面。
【請求項５】
添付図面を参照してここで実質的に記載されたような、ベッド又はトローリ用の体の輪郭を形成する面。
【発明の詳細な説明】
【技術分野】
【０００１】
本願発明はベッド、トローリ又は同様の器具に関するものであり、特に、体の輪郭を形成する支持面を有するベッド、トローリ又は同様の器具に関するものである。
【背景技術】
【０００２】
患者の位置決め及び移動に関連する多くの困難に打ち勝つためには、体の輪郭を形成する面を有するベッドを持つことであることが知られている。そのような体の輪郭を形成する面はスタッフと患者の怪我のリスクを減少し、患者の自立を高め、病気の回復を早め、費用対効果を改善することを含む多くの利点を提供することができる。
通常その面の背部及び大腿部を上昇させることを含む良好な起き上がり位置を提供する体の輪郭を形成する面を有する多くのベッドが知られている。あるベッドは、また、一つの操作で患者を起き上がり位置にすることができる「自動体形合致」制御装置を提供する。「自動体形合致」制御中は、背部及び大腿部は完全に上昇された位置又は完全に降下された位置に到達するまで同時に駆動される。もし、それらの部分が平坦な状態から始まるとしたら、それらの部分が体の輪郭を形成する間、患者はベッドの軸線に沿って比較的不変の位置に保持される。
【発明の開示】
【発明が解決しようとする課題】
【０００３】
ベッドが完全に体の輪郭を形成しており、「自動体合致」制御装置がそれらの部分を平坦にするために使用される場合は、背部及び大腿部が完全に平坦な状態に到達するまで同時に駆動される。しかしながら、大腿部は背部より角度の移動がより少ないので、大腿部は随分早く完全に平坦な状態に到達する。そのことにより、背部が降下されるにつれて患者はベッドの軸線に沿って動かされ、患者の皮膚と体の支持面との間にずれを生じる。
【０００４】
同様に、大腿部及び背部は同時に駆動されるので、「自動体形合致」制御装置を使用した背部角度の如何なる減少も結果的には大腿部の角度を減少することになる。その結果、背部が未だ比較的上昇位置にある一方、大腿部は平坦位置に到達する。
【０００５】
本発明はこれらの改良を図るものである。
【課題を解決するための手段】
【０００６】
本発明によれば、体の輪郭を形成する面であって、少なくとも背部と大腿部とを有する輪郭面を支持するフレームと、体の各部の輪郭に合致するようにアクチュエータを駆動する制御手段とを有し、前記背部と前記大腿部は、水平位置から上昇位置まで移動するよう回動可能に前記フレームに連結され、前記制御手段は、背部及び大腿部を平坦位置から実質的に同等の角度に到達するまで同時に上昇させ、大腿部をその位置に留め、背部をその最大状態に到達するまで継続して上昇させ、前記各部を平坦位置まで戻すためには、初めに背部のみを大腿部の位置と実質的に同等の位置に到達するまで下降させ、次いで、背部及び大腿部を平坦位置まで同時に下降させてなることを特徴とするベッド又はトローリ用の体の輪郭を形成する面が提供されている。このようにして、患者はそれらの各部が体の輪郭を形成している間比較的不変の位置に保持され、そのことにより患者の皮膚と体の支持面との間のずれを減少する。
【０００７】
好ましくは、より高い角度においては、如何なる調整も前記背部の角度の調整のみによる。そのことによりベッドの軸線に関して患者の位置を保持する。有利には、この形式の制御は大多数の患者に、体の輪郭を形成する位置にあるときは自分の位置を変えるために「自動体形合致」制御装置だけを使用することを認めている。
【０００８】
好ましい具体例は、前記背部及び前記大腿部を駆動するアクチュエータは、おのおの完全に伸ばされた状態及び完全に引っ込められた状態のそれぞれを検知するリミットスイッチを有し、背部アクチュエータには、更に前記二つの移動リミットスイッチの両端間に第３の統合リミットスイッチが設けられ、第３のリミットスイッチの位置は、実質的に大腿部のアクチュエータが完全に伸ばされた状態に等しい。好ましくは、前記背部のアクチュエータが第３のリミットスイッチとその背部のアクチュエータが完全に伸ばされたところのリミットスイッチの間の区間にあるとき、体の輪郭を形成する角度の如何なる調整も、大腿部のアクチュエータではなく、背部のアクチュエータの駆動のみによる。
【発明の効果】
【０００９】
本願発明は、制御システムにソフトウエアを必要とすることなく、簡単な「一つのボタン」で体の輪郭を形成する位置の調整をすることがでるものであり、極めて低価格で体の輪郭を形成する良好な動作を可能にする。
【００１０】
本願発明は、下記の図面を参照することにより、例示によってのみ記述される。
図１は平坦位置になっているベッドのプラットフォームの概略図である。
図２は上昇させられた背部及び大腿部が同角度の位置まで上昇させられているベッドのプラットフォームの概略図である。
図３は背部が図２のものより更に上昇させられているベッドのプラットフォームの概略図である。
【発明を実施するための最良の形態】
【００１１】
図１において、ベッド１０は背部２１、座部２２及び大腿部２３並びに足部２４で構成されるプラットフォーム２０で成っている。
【００１２】
通常は、ベッドのそれらの部分を駆動するために使用される電気的操作される線形アクチュエータは２つのリミットスイッチを持っているのみで、一つはそれらの部分が完全に伸ばされた状態を検知するものであり、もう一つはそれらの部分が完全に引っ込められた状態を検知するものである。これらのスイッチはアクチュエータの移動終端を検知し、モータへの電力を中断するために使用される。
【００１３】
好ましい具体例として、本願発明は背部のアクチュエータ４１に、両端にある２つの移動リミットスイッチの途中に第３の統合リミットスイッチを設けている。この第３のリミットスイッチは大腿部のアクチュエータ４２が完全に伸ばされた状態と同じ点で作動開始するように位置決めされている。
【００１４】
アクチュエータ制御装置は、「自動体形合致」制御装置を使用して各部２１、２３、２４が図１に示されているような平坦位置から駆動される時、背部２１及び大腿部２２は、これらの部分が図２に示されているような実質的に同等の角度に到達するまで、同時に動かされるように構成されている。大腿部２３は、そこでその位置にとどまり、背部２１は図３に示されるような最大位置に到達するまでアクチュエータ４１により継続して動かされる。もし、次にこれらの部分を下げるために「自動体形合致」制御装置が使用されるならば、その場合背部２１のみが図２における大腿部２３と同等の位置に到達するまで下降させられる。この時点で大腿部２３は背部２１と同時に下降駆動を始める。これにより患者は比較的不変の位置に維持され、それにより、患者の皮膚とマットレス面との間のずれを減少する。
【００１５】
図３に示されたような体の輪郭を形成するためのより高い角度においては、「自動体形合致」制御装置を使用した如何なる調整も背部２１の角度の調整のみによる。そのことによりベッドの軸線に関して患者の位置を保持する。この形式の制御は大多数の患者に、体の輪郭を形成する位置にあるときに自分の位置を変えるためには、「自動体形合致」制御装置だけを使用することを認めている。従来のベッドの背部の調整は別々の制御ボタンを使用することにより遂行しなければならなかった。本発明の好ましい装置は制御システムにソフトウエアを必要とすることなく、簡単な「一つのボタン」で体の輪郭を形成する位置の調整をすることがでるものである。このことは極めて低価格で体の輪郭を形成する良好な動作を得ることができることを意味している。
【００１６】
この装置は大腿部アクチュエータ４２が完全に伸ばされた状態と実質的に等しい位置で背部アクチュエータ４１に第３のリミットスイッチを組み込んでいる。これらのアクチュエータの制御装置は、背部アクチュエータ４１がこのリミットスイッチとこのアクチュエータが完全に伸ばされたところのリミットスイッチの間の区間にあるとき「自動体形合致」による如何なる調整も大腿部アクチュエータ４２に何の影響も及ぼさないように構成されている。これにより、大腿部２３は背部２１が実質的に等しい角度にまで降下させられるまで完全に上昇された位置に留まる。
【図面の簡単な説明】
【００１７】
【図１】平坦位置になっているベッドのプラットフォームの概略図
【図２】上昇させられた背部及び大腿部が同角度の位置まで上昇させられているベッドのプラットフォームの概略図
【図３】背部が図２のものより更に上昇させられているベッドのプラットフォームの概略図
【符号の説明】
【００１８】
１０ベッド
２０プラットフォーム
２１背部
２２座部
２３大腿部
２４足部
４１背部アクチュエータ
４２大腿部アクチュエータ
【図１】
2007527303.tif 000003
【図２】
2007527303.tif 000004
【図３】
2007527303.tif 000005
【国際調査報告】
2007527303.tif 000006
2007527303.tif 000007
2007527303.tif 000008
2007527303.tif 000009